(57)【要約】【課題】入球口が増加しても制御回路が設けられた基板を大型化することなく、簡便な基板構成を実現することができる遊技機を提供する。【解決手段】入球口に関するプログラムを記憶するとともに、そのプログラムに従って入球口に関する制御を行う制御回路と、入球口に関する入力及び出力の少なくとも何れかを行う入出力装置と、入出力装置毎に設けられ、制御回路と入出力装置との間における信号の制御を行うインタフェイス回路と、を備えた。制御回路は、第１基板に設けられ、インタフェイス回路は、第１基板とは異なり、第１基板と電気的に接続される第２基板に設けられた。【選択図】図８
2014008131.tif 000002
【特許請求の範囲】
【請求項１】
遊技球が転動可能な遊技領域に設けられ、遊技球が入球可能な入球口を備え、遊技に関する制御を行う遊技機において、
前記入球口に関するプログラムを記憶するとともに、該プログラムに従って前記入球口に関する制御を行う制御回路と、
前記入球口に関する入力及び出力の少なくとも何れかを行う入出力装置と、
前記入出力装置毎に設けられ、前記制御回路と前記入出力装置との間における信号の制御を行うインタフェイス回路と、を備え、
前記制御回路は、第１基板に設けられ、
前記インタフェイス回路は、前記第１基板とは異なり、前記第１基板と電気的に接続される第２基板に設けられた遊技機。
【請求項２】
前記インタフェイス回路は、前記制御回路から前記入出力装置への信号を制御するドライバ回路、前記入出力装置からの信号を一時的に記憶するバッファ回路、信号の論理演算を行う論理回路の少なくとも何れかである請求項１に記載の遊技機。
【請求項３】
前記第１基板は、基板ケース内に配置され、
前記基板ケースは、第１カシメ部が形成された第１ケース部材と、第２カシメ部が形成された第２ケース部材とを含む構成であり、
前記第１ケース部材と前記第２ケース部材とは、カシメが施されることにより固着される請求項１又は請求項２に記載の遊技機。
【請求項４】
前記第２基板は、前記第１基板と比較して小さい又は同じ大きさであり、
前記第１基板と前記第２基板とは、重畳して配置され、同じ基板ケース内に配置され、
前記基板ケースは、第１カシメ部が形成された第１ケース部材と、第２カシメ部が形成された第２ケース部材とを含む構成であり、
前記第１ケース部材と前記第２ケース部材とは、カシメが施されることにより固着される請求項１又は請求項２に記載の遊技機。
【請求項５】
前記入出力装置は、前記入球口への遊技球の入球を検知するセンサ、前記入球口への遊技球の入球度合いを異ならせる可動部材を駆動させるアクチュエータである請求項１〜請求項４のうち何れか一項に記載の遊技機。
【請求項６】
前記第２基板には、前記インタフェイス回路を所定個数だけ配置可能な領域が設けられている請求項１〜請求項５のうち何れか一項に記載の遊技機。
【発明の詳細な説明】
【技術分野】
【０００１】
本発明は、遊技球が転動可能な遊技領域に設けられ、遊技球が入球可能な入球口を備え、遊技に関する制御を行う遊技機に関する。
【背景技術】
【０００２】
従来、遊技機の一種であるパチンコ遊技機では、遊技盤に配設した始動入賞口への遊技球の入賞（入球）を契機に大当りか否かの大当り抽選を行い、その大当り抽選の抽選結果を複数列の図柄を変動させて表示する図柄変動ゲームを実行させることにより導出させている。図柄変動ゲームにおいて、最終的に確定停止表示された図柄が大当り図柄である場合には、大入賞口扉が動作し、大入賞口が開放されて遊技球が入賞可能となる大当り遊技が付与される。
【０００３】
また、このようなパチンコ遊技機においては、例えば、特許文献１に示すように、遊技の進行を制御する主制御基板と、その主制御基板からの信号に基づいて演出を制御する演出制御基板とを備えたものが開示されている。この主制御基板においては、ＣＰＵ等の制御回路と、インタフェイス回路とが配設されている。また、インタフェイス回路としては、主にドライバ回路、バッファ回路等が該当し、遊技球の入賞を検知するセンサや大入賞口扉等を動作させるソレノイドと、制御回路との間の信号を制御する機能を有する。
【先行技術文献】
【特許文献】
【０００４】
【特許文献１】特開２０１１−９２６３３号公報
【発明の概要】
【発明が解決しようとする課題】
【０００５】
ところで、このようなパチンコ遊技機において、遊技球が入賞する各種入賞口を増加させるとともに、各種入賞口において遊技球の入賞を検知するスイッチや、各種入賞口における扉等の開閉部材を動作させるアクチュエータを増加させた機種があった。しかしながら、各種入賞口毎にインタフェイス回路を設けなければならないので、各種入賞口が増加すると、各種入賞口におけるスイッチやアクチュエータとのインタフェイス回路も増加させなければならず、これに伴い、制御回路、インタフェイス回路が配設された基板を大きくするように設計変更しなければならなかった。
【０００６】
この発明は、このような従来の技術に存在する問題点に着目してなされたものであり、その目的は、入球口が増加しても制御回路が設けられた基板を大型化することなく、簡便な基板構成を実現することができる遊技機を提供することにある。
【課題を解決するための手段】
【０００７】
上記問題点を解決するために、請求項１に記載の発明は、遊技球が転動可能な遊技領域に設けられ、遊技球が入球可能な入球口を備え、遊技に関する制御を行う遊技機において、前記入球口に関するプログラムを記憶するとともに、該プログラムに従って前記入球口に関する制御を行う制御回路と、前記入球口に関する入力及び出力の少なくとも何れかを行う入出力装置と、前記入出力装置毎に設けられ、前記制御回路と前記入出力装置との間における信号の制御を行うインタフェイス回路と、を備え、前記制御回路は、第１基板に設けられ、前記インタフェイス回路は、前記第１基板とは異なり、前記第１基板と電気的に接続される第２基板に設けられたことを要旨とする。
【０００８】
請求項２に記載の発明は、請求項１に記載の遊技機において、前記インタフェイス回路は、前記制御回路から前記入出力装置への信号を制御するドライバ回路、前記入出力装置からの信号を一時的に記憶するバッファ回路、信号の論理演算を行う論理回路の少なくとも何れかであることを要旨とする。
【０００９】
請求項３に記載の発明は、請求項１又は請求項２に記載の遊技機において、前記第１基板は、基板ケース内に配置され、前記基板ケースは、第１カシメ部が形成された第１ケース部材と、第２カシメ部が形成された第２ケース部材とを含む構成であり、前記第１ケース部材と前記第２ケース部材とは、カシメが施されることにより固着されることを要旨とする。
【００１０】
請求項４に記載の発明は、請求項１又は請求項２に記載の遊技機において、前記第２基板は、前記第１基板と比較して小さい又は同じ大きさであり、前記第１基板と前記第２基板とは、重畳して配置され、同じ基板ケース内に配置され、前記基板ケースは、第１カシメ部が形成された第１ケース部材と、第２カシメ部が形成された第２ケース部材とを含む構成であり、前記第１ケース部材と前記第２ケース部材とは、カシメが施されることにより固着されることを要旨とする。
【００１１】
請求項５に記載の発明は、請求項１〜請求項４のうち何れか一項に記載の遊技機において、前記入出力装置は、前記入球口への遊技球の入球を検知するセンサ、前記入球口への遊技球の入球度合いを異ならせる可動部材を駆動させるアクチュエータであることを要旨とする。
【００１２】
請求項６に記載の発明は、請求項１〜請求項５のうち何れか一項に記載の遊技機において、前記第２基板には、前記インタフェイス回路を所定個数だけ配置可能な領域が設けられていることを要旨とする。
【発明の効果】
【００１３】
本発明によれば、入球口が増加しても制御回路が設けられた基板を大型化することなく、簡便な基板構成を実現することができる。
【図面の簡単な説明】
【００１４】
【図１】パチンコ遊技機の機表側を示す正面図。
【図２】遊技盤の表側を示す正面図。
【図３】パチンコ遊技機の機裏側を示す背面図。
【図４】主制御装置を示す斜視図。
【図５】インタフェイス装置を示す斜視図。
【図６】（ａ）〜（ｃ）は、インタフェイス基板を示す説明図。
【図７】パチンコ遊技機の電気的構成を示すブロック図。
【図８】パチンコ遊技機の電気的構成を示すブロック図。
【図９】主制御装置を示す斜視図。
【図１０】主制御装置を示す斜視図。
【発明を実施するための形態】
【００１５】
［第１実施形態］
以下、本発明の遊技機をパチンコ遊技機に具体化した第１実施形態について図１〜図８を参照して説明する。
【００１６】
図１に示すように、パチンコ遊技機１０の機体の外郭をなす外枠１２の開口前面側には、各種の遊技用構成部材をセットする縦長方形の図示しない中枠が開放及び着脱自在に組み付けられている。この中枠の前面側には、中央部に窓口１４を有する前枠１６が開閉及び着脱自在に組み付けられている。
【００１７】
前枠１６の裏面側には、機内部に配置された遊技盤ＹＢを保護し、かつ窓口１４を覆う大きさのガラスを支持する図示しないガラス支持枠が着脱及び傾動開放可能に組み付けられている。前枠１６は、窓口１４の下方に遊技球を貯留可能な上皿１５を一体成形した構成とされている。
【００１８】
また、前枠１６の下部には、上皿１５から溢れ出た遊技球を貯留する下皿２３が装着されている。下皿２３の右方には、遊技球を遊技盤ＹＢに発射させる際に遊技者によって回動操作される遊技球発射用の発射ハンドル２４が装着されている。また、パチンコ遊技機１０には、発光演出を行う装飾ランプ１７と、各種音声を出力して音声演出を行う複数のスピーカ２０が配置されている。また、上皿１５の上面１５ａには、貸し球（遊技球）の貸し受けに関しての各種操作を行うための操作部としての球貸し操作部２６が装備されている。
【００１９】
上皿１５に貯留された遊技球は、発射ハンドル２４の回動操作に応じて、貯留通路により上皿取込口へ案内され、１球ずつ機内に取り込まれ、機内に装備された発射ユニット４９（図７に示す）によって遊技盤ＹＢに向けて発射される。
【００２０】
また、パチンコ遊技機１０には、遊技媒体貸出用ユニットとしてのカードユニット装置１１が並設されている。カードユニット装置１１には、遊技者に貸し出される遊技球と交換可能な交換媒体としてのプリペイドカードを投入するための投入口１１ａが設けられている。カードユニット装置１１は、投入されたプリペイドカードの価値を読み書き可能な構成となっている。
【００２１】
次に、遊技盤ＹＢの構成について図２を参照して詳しく説明する。
遊技盤ＹＢの前面には、発射ハンドル２４の操作によって発射された遊技球を誘導し、かつほぼ円形の遊技領域Ｈ１を形成する誘導レール３０が円形渦巻き状に敷設されている。この遊技領域Ｈ１は、遊技球が転動可能な領域であり、パチンコ遊技の主体となる領域である。この誘導レール３０によって遊技盤ＹＢには、該遊技盤ＹＢの左下方から左上方に向かって延びる遊技球の誘導路３０ａが形成されるとともに、誘導レール３０の内側に遊技領域Ｈ１が形成される。また、遊技盤ＹＢの前面であって誘導レール３０の外側となる遊技領域Ｈ１外は、パチンコ遊技に直接関与しない非遊技領域Ｈ２とされている。
【００２２】
遊技盤ＹＢの遊技領域Ｈ１には、演出表示装置３３、特別図柄表示装置３４及び普通図柄表示装置３５などの各種表示装置が装着されている。
本実施形態の演出表示装置３３は、液晶表示部３３ａを備えており、該液晶表示部３３ａが遊技領域Ｈ１の中央に配置される。演出表示装置３３には、複数種類の図柄を変動させて複数列の図柄からなる図柄組み合わせを導出する図柄変動ゲームなどの表示演出の画像が表示されるようになっている。演出表示装置３３の図柄変動ゲームは、表示演出を多様化するための飾り図柄を用いて行われる。
【００２３】
本実施形態の特別図柄表示装置３４は、発光体（ＬＥＤやランプなど）を内蔵し、その発光体をレンズカバーで覆って構成した複数個（本実施形態では７個）の特図発光部を備えている。この特別図柄表示装置３４は、７個の特図発光部が演出表示装置３３の左下方部において並列配置されるように表示枠体３２に装着されている。そして、特別図柄表示装置３４では、複数個の特図発光部の中から所定の特図発光部を点灯させて、その点灯した特図発光部の位置と個数によって区別される組み合わせを導出する図柄変動ゲームが表示されるようになっている。本実施形態のパチンコ遊技機１０では、図柄変動ゲームで点灯又は消灯する特図発光部を特別図柄として扱っている。特別図柄は、大当りか否かの内部抽選（大当り抽選）の結果を示す報知用の図柄である。
【００２４】
演出表示装置３３と特別図柄表示装置３４では、図柄変動ゲームの開始に伴って、演出表示装置３３では各列の飾り図柄の変動が開始する一方で、特別図柄表示装置３４では各特図発光部が点滅することで特別図柄の変動が開始する。そして、演出表示装置３３と特別図柄表示装置３４には、大当り抽選の抽選結果に基づき、図柄変動ゲームの終了によって大当り図柄又ははずれ図柄が確定的に停止表示される。このとき、演出表示装置３３と特別図柄表示装置３４では、大当り抽選の抽選結果が大当りである場合には何れの表示装置にも大当り図柄が確定的に停止表示され、大当り抽選の抽選結果がはずれである場合には何れの表示装置にもはずれ図柄が確定的に停止表示される。大当り図柄は、大当り抽選の抽選結果が大当りである場合に図柄変動ゲームで確定的に停止表示されるものであり、はずれ図柄は、大当り抽選の抽選結果がはずれである場合に図柄変動ゲームで確定的に停止表示されるものである。本実施形態において演出表示装置３３の図柄変動ゲームで導出される大当り図柄とはずれ図柄は、各列に導出された飾り図柄の組み合わせによって構成されるとともに、例えば、大当り図柄は全列が同一種類の飾り図柄からなる組み合わせで構成される一方で、はずれ図柄は全列が同一種類の飾り図柄にならない組み合わせで構成される。一方、本実施形態において特別図柄表示装置３４の図柄変動ゲームで導出される大当り図柄とはずれ図柄は、特図発光部において発光した特図発光部の組み合わせによって構成される。
【００２５】
本実施形態のパチンコ遊技機１０では、演出表示装置３３の表示領域を特別図柄表示装置３４の表示領域よりも大きく形成し、演出表示装置３３を遊技者の正面に目立つように配置している。このため、遊技者は、特別図柄表示装置３４よりも自身の目の前で多彩な画像によって表示演出が行われる演出表示装置３３の表示内容に注目し、該演出表示装置３３の図柄変動ゲームで導出されて確定的に停止表示される図柄組み合わせから大当り又ははずれを認識することになる。
【００２６】
本実施形態の普通図柄表示装置３５は、発光体（ＬＥＤやランプなど）を内蔵し、その発光体をレンズカバーで覆って構成した複数個（本実施形態では２個）の普図発光部を備えている。この普通図柄表示装置３５は、２個の普図発光部が演出表示装置３３の右下方部において並列配置されるように表示枠体３２に装着されている。そして、普通図柄表示装置３５では、前述した大当りか否かの大当り抽選とは別に行う普通当りか否か（後述する開閉羽根３８の開動作により下始動口３９を開放するか否か）の内部抽選（普通当り抽選）の抽選結果を表示する普通図柄変動ゲームが行われる。そして、本実施形態においては、当り抽選で当りを決定している場合には普通図柄変動ゲームで当り図柄として一方の普図発光部を点灯させるとともに、当り抽選ではずれを決定している場合には普通図柄変動ゲームで他方の普図発光部を点灯させる。このため、遊技者は、普通図柄表示装置３５の図柄変動ゲームで確定的に一方の普図発光部が点灯することにより当りを認識できるとともに、図柄変動ゲームで確定的に他方の普図発光部が点灯することによりはずれを認識できる。本実施形態のパチンコ遊技機１０では、普通図柄変動ゲームで点灯及び消灯する普図発光部を普通図柄として扱っている。
【００２７】
遊技盤ＹＢの遊技領域Ｈ１であって演出表示装置３３の下方には、遊技球の入球を契機に大当り抽選の抽選条件及び所定球数の賞球としての遊技球の払出条件を付与する始動入賞口装置３６が配設されている。そして、本実施形態の始動入賞口装置３６は、演出表示装置３３の直下に位置する上始動口３７と、開閉動作可能な開閉羽根３８を有する普通電動役物が装備された下始動口３９とから構成されている。本実施形態の始動入賞口装置３６は、上始動口３７において常時遊技球の入球を許容する一方で、下始動口３９において開閉羽根３８が開放した時に遊技球の入球を許容するようになっている。そして、上始動口３７に遊技球が入球した場合には、前記大当り抽選の抽選条件と賞球として３球の遊技球を払出す払出条件が付与されるとともに、下始動口３９に遊技球が入球した場合も、前記大当り抽選の抽選条件と賞球として３球の遊技球を払出す払出条件が付与される。
【００２８】
開閉羽根３８は、前述した普通図柄変動ゲームで当り図柄が導出されることにより予め定めた開放態様（開放時間や開放回数で規定される態様）で開動作し、下始動口３９を開放する。そして、本実施形態のパチンコ遊技機１０において当り抽選の抽選条件は、表示枠体３２（画像表示装置３３）の左方に配置した普通図柄作動ゲート４０への遊技球の入球を契機に付与される。普通図柄作動ゲート４０は、遊技球が通過する構成とされており、遊技球が通過した場合には当り抽選の抽選条件のみを付与し、賞球の払出条件を付与しない。
【００２９】
遊技盤ＹＢの遊技領域Ｈ１であって始動入賞口装置３６の下方（下始動口３９の直下）には、下大入賞口装置４１が配設されている。また、演出表示装置３３の左上方には、特定の大当り遊技ではない非特定の大当り遊技中に開放される上大入賞口装置４３が配設されている。また、大当り遊技の種類によって、下大入賞口装置４１、上大入賞口装置４３の何れか一方が開放される。
【００３０】
下大入賞口装置４１には、開閉動作可能な開閉扉４２が装備されている。開閉扉４２は、特定の大当り遊技中に予め定めた開放態様（開放時間や開放回数で規定される態様）で開動作し、遊技球の入球を許容するように下大入賞口装置４１を開放する。そして、下大入賞口装置４１には、該下大入賞口装置４１へ入球した遊技球の入球口（図示しない）が設けられており、該入球口へ遊技球が入球したことを契機に所定球数（本実施形態では１３球）の賞球としての遊技球の払出条件を付与するようになっている。
【００３１】
また、上大入賞口装置４３には、開閉動作可能な開閉羽根４４が装備されている。開閉羽根４４は、大当り遊技中に予め定めた開放態様（開放時間や開放回数で規定される態様）で開動作し、遊技球の入球を許容するように上大入賞口装置４３を開放する。そして、上大入賞口装置４３には、該上大入賞口装置４３へ入球した遊技球の入球口（図示しない）が設けられており、該入球口へ遊技球が入球したことを契機に所定球数（本実施形態では１５球）の賞球としての遊技球の払出条件を付与するようになっている。
【００３２】
大当り遊技は、大当り抽選で大当りを決定し、図柄変動ゲームで大当り図柄が確定的に停止表示されて該ゲームの終了後、開始される。また、大当り遊技には、複数種類の遊技が規定されており、大当り抽選で大当りを決定した後に、大当り遊技の種類を決定する。なお、本実施形態においては、下大入賞口装置４１が開放される特定の大当り遊技と、上大入賞口装置４３が開放される非特定の大当り遊技とに区別される。
【００３３】
特定の大当り遊技が開始すると、最初に大当り遊技の開始を示すオープニング演出が行われる。オープニング演出終了後には、開閉扉４２の開動作により下大入賞口装置４１が開放されるラウンド遊技が予め定めた規定ラウンド数を上限（例えば、１６回）として複数回行われる。１回のラウンド遊技は、開閉扉４２の開動作により下大入賞口装置４１が開放されてから開閉扉４２の閉動作により下大入賞口装置４１が閉鎖される迄であり、１回のラウンド遊技中に下大入賞口装置４１は、規定入球数（例えば、９球）の遊技球が入球する迄の間、又は規定時間（１ラウンドは２５秒）が経過する迄の間、開放される。そして、特定の大当り遊技は、規定ラウンド数のラウンド遊技の終了後に大当り遊技の終了を示すエンディング演出が行われて終了する。
【００３４】
その一方で、非特定の大当り遊技が開始すると、最初に大当り遊技の開始を示すオープニング演出が行われる。オープニング演出終了後には、開閉羽根４４の開動作により上大入賞口装置４３が開放されるラウンド遊技が予め定めた規定ラウンド数を上限（例えば、８回又は１６回）として複数回行われる。１回のラウンド遊技は、開閉羽根４４の開動作により上大入賞口装置４３が２回開放されてから開閉羽根４４の閉動作により上大入賞口装置４３が閉鎖される迄であり、１回のラウンド遊技中に上大入賞口装置４３は、規定入球数（例えば、９球）の遊技球が入球する迄の間、又は規定時間（１ラウンドは５．３４８秒）が経過する迄の間、開放される。そして、非特定の大当り遊技は、規定ラウンド数のラウンド遊技の終了後に大当り遊技の終了を示すエンディング演出が行われて終了する。
【００３５】
遊技盤ＹＢの遊技領域Ｈ１であって下大入賞口装置４１の左方には、左下外入賞口装置４５ａと、左下中入賞口装置４５ｂと、左下内入賞口装置４５ｃとが、遊技盤ＹＢの左右方向に並列し、かつ上下方向に高さを異ならせて配設されている。また、遊技盤ＹＢの遊技領域Ｈ１であって下大入賞口装置４１の右方には、右下入賞口装置４５ｄが配設されている。これらの各入賞口装置４５ａ〜４５ｄは、遊技球の入球を契機に所定球数（本実施形態では８球）の賞球としての遊技球の払出条件を付与するようになっている。
【００３６】
次に、パチンコ遊技機１０の機裏側の構成について図３を参照して以下に説明する。
図３に示すように、本実施形態におけるパチンコ遊技機１０の機裏側には、遊技場の遊技機設置設備から供給される遊技球を貯留可能な球タンク４６が装着されている。また、球タンク４６内の遊技球を上皿１５に向けて払出す際に遊技球を案内する案内通路が形成された樋部材４７が装着されている。樋部材４７は、球タンク４６の下方に連設されるとともに、上下方向に延設されている。また、樋部材４７の案内通路の下方出口には、１台の払出ユニット４８が連設されている。払出ユニット４８は、球タンク４６に貯留された遊技球を機外（上皿１５又は下皿２３）に払出す払出動作を行う装置である。払出ユニット４８から払出された遊技球は、上皿１５又は下皿２３へ案内される。
【００３７】
また、パチンコ遊技機１０の機裏側の中央には、主制御装置５０が配置されている。また、パチンコ遊技機１０の機裏側における主制御装置５０の側方には、インタフェイス装置６０が配置されている。また、パチンコ遊技機１０の機裏側における主制御装置５０の下方には、払出制御基板７１と、発射制御基板７２とが基板ケースにより覆われるように配置されている。また、パチンコ遊技機１０の機裏側における主制御装置５０の上方には、統括制御基板７３と、演出表示制御基板７４と、演出表示装置３３とが配設されている。なお、統括制御基板７３及び演出表示制御基板７４は、それぞれ基板ケースにより覆われるように配置されている。
【００３８】
主制御装置５０は、払出制御基板７１や統括制御基板７３を始めとするパチンコ遊技機１０全体を制御する機能を有する。インタフェイス装置６０は、主制御装置５０と、各種のスイッチ８１〜８７及び各種のソレノイド８８〜９０（図７及び図８に示す）との間に接続され、電気的に中継を行う装置である。払出制御基板７１は、遊技球を払出す払出ユニット４８の払出動作を制御し、賞球又は貸し球として払出す遊技球の払出しに関する払出制御を実行する。発射制御基板７２は、発射ハンドル２４の操作状態を検知し、その検知結果に応じて遊技球の発射間隔や発射強度などの発射制御を実行する。
【００３９】
統括制御基板７３は、主制御装置５０が出力する制御信号を入力し、演出表示装置３３、装飾ランプ１７、及びスピーカ２０などの報知を行う報知手段を統括的に制御し、このような制御を行うための制御信号を演出表示制御基板７４に出力する。演出表示制御基板７４は、統括制御基板７３が出力する制御信号を入力し、演出表示装置３３の表示態様を専門的に制御する。
【００４０】
また、図３では図示しないが、パチンコ遊技機１０の機裏側には、主制御中継端子板７５と、遊技球等貸出装置接続端子板７６と、外部端子板７７と（ともに図７に示す）が装着されている。主制御中継端子板７５は、主制御装置５０と払出制御基板７１との間に接続される基板である。遊技球等貸出装置接続端子板７６は、カードユニット装置１１と球貸し操作部２６とを払出制御基板７１に接続される基板である。外部端子板７７は、払出制御基板７１に接続される基板であり、ホールコンピュータ等の外部装置に、遊技に関する遊技情報を出力する端子が配設された基板である。
【００４１】
また、パチンコ遊技機１０の機裏側には、パチンコ遊技機１０の各種制御基板や各種演出装置に対して電源を供給する図示しない電源装置が装着されている。この電源基板は、電源スイッチと、遊技機設置設備の電源に接続される電源コードとを有し、さらに、パチンコ遊技機１０の電源投入時に操作することにより、バックアップデータをクリアする図示しないＲＷＭクリアスイッチが設けられている。
【００４２】
また、遊技盤ＹＢの裏面側には、始動入賞口装置３６の上始動口３７へ入球した遊技球を検知する上始動口スイッチ８１が装着されているとともに、始動入賞口装置３６の下始動口３９へ入球した遊技球を検知する下始動口スイッチ８２（ともに図７及び図８に示す）が装着されている。また、遊技盤ＹＢの裏面側には、下大入賞口装置４１へ入球した遊技球を検知する下カウントスイッチ８４（図７及び図８に示す）が装着され、遊技盤ＹＢの裏面側には、上大入賞口装置４３へ入球した遊技球を検知する上カウントスイッチ８３（図７及び図８に示す）が装着されている。また、遊技盤ＹＢの裏面側には、各入賞口装置４５ａ〜４５ｃへ入球した遊技球を検知する左下入賞口スイッチ８５（図７及び図８に示す）が装着されているとともに、右下入賞口装置４５ｄへ入球した遊技球を検知する右下入賞口スイッチ８６（図７及び図８に示す）が装着されている。本実施形態において左下外入賞口装置４５ａ、左下中入賞口装置４５ｂ及び左下内入賞口装置４５ｃへ入球した遊技球は、図示しない集合樋で集められて１つの左下入賞口スイッチ８５を用いて検知される。また、遊技盤ＹＢの裏面側であって普通図柄作動ゲート４０に対応する位置には、該普通図柄作動ゲート４０を通過した遊技球を検知する普通図柄変動スイッチ８７（図７及び図８に示す）が装着されている。
【００４３】
遊技盤ＹＢの裏面側には、下始動口３９に装備した開閉羽根３８と対応する位置に、該開閉羽根３８を開閉動作させる普通電動役物ソレノイド８８（図７及び図８に示す）が装着されている。また、遊技盤ＹＢの裏面側には、下大入賞口装置４１に装備した開閉扉４２と対応する位置に、該開閉扉４２を開閉動作させる下大入賞口ソレノイド８９（図７及び図８に示す）が装着されている。また、遊技盤ＹＢの裏面側には、上大入賞口装置４３に装備した開閉羽根４４と対応する位置に、該開閉羽根４４を開閉動作させる上大入賞口ソレノイド９０（図７及び図８に示す）が装着されている。
【００４４】
なお、本実施形態において、上始動口３７、下始動口３９、普通図柄作動ゲート４０、下大入賞口装置４１、上大入賞口装置４３、及び各入賞口装置４５ａ〜４５ｄが入球口に相当する。また、本実施形態において、上始動口スイッチ８１、下始動口スイッチ８２、上カウントスイッチ８３、下カウントスイッチ８４、左下入賞口スイッチ８５、右下入賞口スイッチ８６、及び普通図柄変動スイッチ８７は、入球口への遊技球の入球を検知するセンサである。また、本実施形態において、普通電動役物ソレノイド８８、下大入賞口ソレノイド８９、及び上大入賞口ソレノイド９０は、入球口への遊技球の入球度合いを異ならせる可動部材を駆動させるアクチュエータである。また、本実施形態において、各種のスイッチ８１〜８７、各種のソレノイド８８〜９０が、入球口に関する入力及び出力の少なくとも何れかを行う入出力装置に相当する。
【００４５】
ここで、主制御装置５０の構成について図４を参照して以下に説明する。
図４に示すように、主制御装置５０は、パチンコ遊技機１０の全体を制御する主制御基板５１と、主制御基板５１を収納する基板ケース５２とから構成されている。
【００４６】
第１基板としての主制御基板５１は、長方形の板状体であって、電導パターンが形成されている。この主制御基板５１には、主制御用ＣＰＵ５１ａや主制御用ＲＯＭ５１ｂ（ともに図８に示す）を始めとする電子素子が配置され、パチンコ遊技機１０の全体の制御を行う基板である。また、この主制御基板５１には、インタフェイス装置６０や各種基板７３，７５，７９、図示しない電源基板と電気的に接続するための図示しない第１接続部品としてのコネクタが配置されている。
【００４７】
第１基板ケースとしての基板ケース５２は、主に、主制御基板５１を配置する第１ケース部材としてのベース部材５３と、このベース部材５３に配置された主制御基板５１を覆う第２ケース部材としてのカバー部材５４とから構成されており、ベース部材５３とカバー部材５４との間に形成された収納領域に主制御基板５１が収納される。
【００４８】
ベース部材５３は、主制御基板５１よりも大きい長方形の箱状であり、透明な合成樹脂成形品により形成されている。ベース部材５３には、主制御基板５１が配置される基板配置部５３ａが形成されている。基板配置部５３ａの短手方向に対する周縁には、カバー部材５４に対面するように、長手方向に延伸する外壁部５３ｂが形成されている。外壁部５３ｂの内方には、カバー部材５４をスライドさせるためのスライド溝５３ｃが外壁部５３ｂに沿って形成されており、そのスライド溝５３ｃには、カバー部材５４を係止させる図示しない係止部が形成されている。
【００４９】
ベース部材５３の長手方向の一端には、短手方向に離間する一対のベース側カシメ部５３ｄ，５３ｅが、長手方向の外方に延伸するように形成されている。また、ベース側カシメ部５３ｄ，５３ｅの間には、ベース側連結部５３ｆが長手方向の外方に延伸するように形成されている。
【００５０】
カバー部材５４は、主制御基板５１よりも大きい長方形の箱状であり、透明な合成樹脂成形品により形成されている。カバー部材５４は、ベース部材５３の基板配置部５３ａに対面する平面形状の天井部５４ａが形成されている。天井部５４ａの周縁には、ベース部材５３に対面するように、外壁部５４ｂが形成されている。外壁部５４ｂのうち長手方向に延伸する部分には、ベース部材５３のスライド溝５３ｃに形成された係止部に当接する引掛部５４ｃが形成されている。ベース部材５３のスライド溝５３ｃに対して、カバー部材５４の外壁部５４ｂを長手方向にスライドさせることによって、カバー部材５４の引掛部５４ｃにベース部材５３の係止部が当接し、カバー部材５４がベース部材５３に係止される。これによって、ベース部材５３とカバー部材５４との間に、主制御基板５１が収納可能となる。なお、カバー部材５４の天井部５４ａには、インタフェイス装置６０等と電気的に接続するためのケーブルが挿通可能な開口５４ｇが形成されている。
【００５１】
カバー部材５４の長手方向の一端には、短手方向に離間する一対のカバー側カシメ部５４ｄ，５４ｅが、長手方向の外方に延伸するように形成されている。また、カバー側カシメ部５４ｄ，５４ｅの間には、カバー側連結部５４ｆが長手方向の外方に延伸するように形成されている。また、カバー部材５４がベース部材５３に係止された状態で、カバー側カシメ部５４ｄがベース側カシメ部５３ｄに、カバー側カシメ部５４ｅがベース側カシメ部５３ｅに、カバー側連結部５４ｆがベース側連結部５３ｆに、それぞれ対面するように形成されている。
【００５２】
これら第１カシメ部としてのベース側カシメ部５３ｄ，５３ｅと、第２カシメ部としてのカバー側カシメ部５４ｄ，５４ｅとは、締結方向にしか回転させることができないワンウェイネジＮ１，Ｎ２により締結される。これによって、ベース部材５３とカバー部材５４とが分離不能に固着される。このように、ベース側カシメ部５３ｄ，５３ｅとカバー側カシメ部５４ｄ，５４ｅとにおいてカシメが施されることにより、ベース部材５３とカバー部材５４とが固着される。なお、これらベース側カシメ部５３ｄ，５３ｅとカバー側カシメ部５４ｄ，５４ｅとがワンウェイネジＮ１，Ｎ２により一旦締結されると、ベース側カシメ部５３ｄ，５３ｅとカバー側カシメ部５４ｄ，５４ｅが破壊されない限り、ベース部材５３とカバー部材５４とが分離されず、不正開放を非常に困難にしている。また、ワンウェイネジＮ１，Ｎ２を締結したカバー側カシメ部５４ｄ，５４ｅには、ワンウェイネジＮ１，Ｎ２を覆って操作不能とするキャップＣ１，Ｃ２が嵌め込まれる。
【００５３】
また、ベース側連結部５３ｆとカバー側連結部５４ｆとは、ネジＮ３，Ｎ４で締結される。これらベース側連結部５３ｆとカバー側連結部５４ｆとには、開口可能な箱状に形成された封止ケース５５が着脱自在に取り付けられる。これにより、封止ケース５５がベース側連結部５３ｆ及びカバー側連結部５４ｆから取り外さなければ、ネジＮ３，Ｎ４の締結を緩めることができないように構成されている。
【００５４】
また、これら基板ケース５２には、ベース部材５３とカバー部材５４とが組み付けられた状態で、ベース部材５３とカバー部材５４とに跨るようにラベル５６ａ，５６ｂが貼り付けられている。具体的には、ベース部材５３の係止部がカバー部材５４の引掛部５４ｃに当接した状態で、ベース部材５３の外壁部５３ｂとカバー部材５４の外壁部５４ｂとに跨るようにラベル５６ａが貼り付けられる。また、ベース側連結部５３ｆとカバー側連結部５４ｆとがネジＮ３，Ｎ４により締結された状態で、それらベース側連結部５３ｆとカバー側連結部５４ｆとに跨るようにラベル５６ｂが貼り付けられ、封止ケース５５が取り付けられる。
【００５５】
次に、インタフェイス装置６０の構成について図５を参照して以下に説明する。
図５に示すように、インタフェイス装置６０は、主制御基板５１と、各種のスイッチ８１〜８７や各種のソレノイド８８〜９０との間に電気的に接続されるインタフェイス基板６１と、インタフェイス基板６１を収納する基板ケース６２とから構成されている。
【００５６】
第２基板としてのインタフェイス基板６１は、長方形の板状体であって、電導パターンが形成されている。なお、このインタフェイス基板６１は、主制御基板５１とは別の基板であり、主制御基板５１よりも小さいサイズで形成されている。このインタフェイス基板６１には、ドライバ回路やバッファ回路としてのインタフェイス回路を構成する電子素子が配置され、主制御基板５１と、各種のスイッチ８１〜８７や各種のソレノイド８８〜９０との間の中継を行う。また、このインタフェイス基板６１には、主制御基板５１と、各種のスイッチ８１〜８７や各種のソレノイド８８〜９０とに電気的に接続するための図示しない第２接続部品としてのコネクタが配置されている。
【００５７】
第２基板ケースとしての基板ケース６２は、インタフェイス基板６１を配置する第３ケース部材としてのベース部材６３と、このベース部材６３に配置されたインタフェイス基板６１を覆う第４ケース部材としてのカバー部材６４とから構成されており、ベース部材６３とカバー部材６４との間に形成された収納領域にインタフェイス基板６１が収納される。
【００５８】
ベース部材６３は、インタフェイス基板６１よりも大きい長方形の箱状であり、透明な合成樹脂成形品により形成されている。ベース部材６３には、インタフェイス基板６１が配置される基板配置部６３ａが形成されている。基板配置部６３ａの短手方向に対する周縁には、カバー部材６４に対面するように、長手方向に延伸する外壁部６３ｂが形成されている。外壁部６３ｂの内方には、カバー部材６４をスライドさせるためのスライド溝６３ｃが外壁部６３ｂに沿って形成されており、そのスライド溝６３ｃには、カバー部材６４を係止させる図示しない係止部が形成されている。
【００５９】
ベース部材６３の長手方向の一端には、短手方向に離間する一対のベース側カシメ部６３ｄ，６３ｅが、長手方向の外方に延伸するように形成されている。
カバー部材６４は、インタフェイス基板６１よりも大きい長方形の箱状であり、透明な合成樹脂成形品により形成されている。カバー部材６４は、ベース部材６３の基板配置部６３ａに対面する平面形状の天井部６４ａが形成されている。天井部６４ａの周縁には、ベース部材６３に対面するように、外壁部６４ｂが形成されている。外壁部６４ｂのうち長手方向に延伸する部分には、ベース部材６３のスライド溝６３ｃに形成された係止部に当接する引掛部６４ｃが形成されている。ベース部材６３のスライド溝６３ｃに対して、カバー部材６４の外壁部６４ｂを長手方向にスライドさせることによって、カバー部材６４の引掛部６４ｃにベース部材６３の係止部が当接し、カバー部材６４がベース部材６３に係止される。これによって、ベース部材６３とカバー部材６４との間に、インタフェイス基板６１が収納可能となる。なお、カバー部材６４の天井部６４ａには、
主制御基板５１、各種のスイッチ８１〜８７や各種のソレノイド８８〜９０、電源基板と電気的に接続するためのケーブルが挿通可能な開口６４ｆが形成されている。
【００６０】
カバー部材６４の長手方向の一端には、短手方向に離間する一対のカバー側カシメ部６４ｄ，６４ｅが、長手方向の外方に延伸するように形成されている。また、カバー部材６４がベース部材６３に係止された状態で、カバー側カシメ部６４ｄがベース側カシメ部６３ｄに、カバー側カシメ部６４ｅがベース側カシメ部６３ｅに、それぞれ対面するように形成されている。
【００６１】
これら第３カシメ部としてのベース側カシメ部６３ｄ，６３ｅと、第４カシメ部としてのカバー側カシメ部６４ｄ，６４ｅとは、締結方向にしか回転させることができないワンウェイネジＮ５，Ｎ６により締結される。これによって、ベース部材６３とカバー部材６４とが分離不能に固着される。このように、インタフェイス基板６１が収納される基板ケース６２も、ベース側カシメ部６３ｄ，６３ｅが形成されたベース部材６３と、カバー側カシメ部６４ｄ，６４ｅが形成されたカバー部材６４とを含む構成である。そして、ベース側カシメ部６３ｄ，６３ｅとカバー側カシメ部６４ｄ，６４ｅとにおいてカシメが施されることにより、ベース部材６３とカバー部材６４とが固着される。なお、これらベース側カシメ部６３ｄ，６３ｅとカバー側カシメ部６４ｄ，６４ｅとがワンウェイネジＮ５，Ｎ６により一旦締結されると、ベース側カシメ部６３ｄ，６３ｅとカバー側カシメ部６４ｄ，６４ｅが破壊されない限り、ベース部材６３とカバー部材６４とが分離されず、不正開放を非常に困難にしている。また、ワンウェイネジＮ５，Ｎ６を締結したカバー側カシメ部６４ｄ，６４ｅには、ワンウェイネジＮ５，Ｎ６を覆って操作不能とするキャップＣ３，Ｃ４が嵌め込まれる。
【００６２】
特に、図６（ａ）に示すように、本実施形態において、インタフェイス基板６１には、主制御基板５１と電気的に接続するためのコネクタＣＮ２、各種のスイッチ８１〜８７や各種のソレノイド８８〜９０と電気的に接続するためのコネクタＣＮ３（ＣＮ３ａ〜ＣＮ３ｊ）、電源基板から電源供給を受けるためのコネクタＣＮ４が実装されている。
【００６３】
また、このインタフェイス基板６１には、各種のインタフェイス回路が実装可能なように電導パターンが形成されており、本実施形態において、点線で囲まれた素子実装領域Ｒ１に電子素子が実装されている。なお、コネクタＣＮ２〜ＣＮ４、素子実装領域Ｒ１に該当しない領域は、電導パターンにもよるが、別のコネクタや電子素子が実装可能な空き領域となり得る。
【００６４】
本実施形態において、インタフェイス基板６１には、コネクタＣＮ３ａ〜ＣＮ３ｊに対応するように７系統の入力インタフェイス回路６１ａ〜６１ｇと３系統の出力インタフェイス回路６１ｈ〜６１ｊとが配置されたが、各種のスイッチや各種のソレノイドの増減によって、コネクタやインタフェイス回路の増減が可能である。
【００６５】
具体的に、各種のスイッチや各種のソレノイドが増減した場合の一例を説明する。図６（ｂ）に示すように、インタフェイス基板６１には、コネクタＣＮ３ａ〜ＣＮ３ｈに対応するように６系統の入力インタフェイス回路と２系統の出力インタフェイス回路とが配置される場合、コネクタの数が減少し、各種のインタフェイス回路が実装される素子実装領域Ｒ２が、素子実装領域Ｒ１よりも小さくなる。そして、コネクタＣＮ２〜ＣＮ４、素子実装領域Ｒ２に該当しない領域は大きくなる。
【００６６】
その一方で、図６（ｃ）に示すように、インタフェイス基板６１には、コネクタＣＮ３ａ〜ＣＮ３ｎに対応するように１０系統の入力インタフェイス回路と４系統の出力インタフェイス回路とが配置される場合、コネクタの数が増加し、各種のインタフェイス回路が実装される素子実装領域Ｒ３が、素子実装領域Ｒ１よりも大きくなる。そして、コネクタＣＮ２〜ＣＮ４、素子実装領域Ｒ３に該当しない領域は小さくなる。
【００６７】
このように、図６（ａ）に示すように、インタフェイス基板６１に空き領域が形成されるように、コネクタＣＮ２〜ＣＮ４、素子実装領域Ｒ１、電導パターンが形成される。これによって、図６（ｂ）に示すように、コネクタＣＮ２〜ＣＮ４や電子素子を減少させることはもちろんのこと、図６（ｃ）に示すように、コネクタＣＮ２〜ＣＮ４や電子素子を増加させることも可能となる。つまり、インタフェイス基板６１には、コネクタやインタフェイス回路を所定個数（本実施形態では、１０個）だけ配置可能な素子実装領域（実装可能領域）が設けられている。
【００６８】
次に、パチンコ遊技機１０の電気的構成について図７を参照して以下に説明する。図７に示すように、主制御基板５１には、主制御中継端子板７５が接続されている。主制御中継端子板７５には、払出制御基板７１が接続されている。主制御基板５１には、統括制御基板７３が接続されている。
【００６９】
統括制御基板７３には、演出表示制御基板７４が接続されている。演出表示制御基板７４には、演出表示装置３３が接続されている。統括制御基板７３には、装飾ランプ１７と、スピーカ２０とが接続されている。
【００７０】
また、主制御基板５１と主制御中継端子板７５との間、及び主制御中継端子板７５と払出制御基板７１との間は、それぞれ互いに信号の送受信が可能な双方向通信を許容した形態で接続されている。その一方で、主制御基板５１から統括制御基板７３には送信が可能であるが、統括制御基板７３から主制御基板５１には送信が不可能である。つまり、主制御基板５１から統括制御基板７３への単方向通信を許容した形態で接続されている。
【００７１】
次に、払出制御基板７１には、発射制御基板７２がそれぞれに双方向通信を許容した形態で接続されている。発射制御基板７２には、遊技球を遊技盤ＹＢへ向けて発射する発射ユニット４９が接続されている。
【００７２】
また、払出制御基板７１には、払出ユニット４８と遊技球等貸出装置接続端子板７６とがそれぞれに双方向通信を許容した形態で接続されている。そして、遊技球等貸出装置接続端子板７６には、上皿１５の内部において球貸し操作部２６と対応する位置に装着された球貸し操作基板７８がそれぞれに双方向通信を許容した形態で接続されている。また、遊技球等貸出装置接続端子板７６には、カードユニット装置１１がそれぞれに双方向通信を許容した形態で接続されている。そして、払出制御基板７１と、球貸し操作基板７８と、カードユニット装置１１とは、遊技球等貸出装置接続端子板７６を介して、遊技球の貸出に関する通信を行う。
【００７３】
また、払出制御基板７１には、外部端子板７７が接続されているとともに、該外部端子板７７にはホールコンピュータ等の外部装置が接続されるようになっている。払出制御基板７１は、外部端子板７７を介してホールコンピュータ等の外部装置に対して、パチンコ遊技機１０の動作状態等の遊技情報を出力可能である。
【００７４】
次に、主制御基板５１には、図柄表示基板７９が接続されている。図柄表示基板７９には、特別図柄表示装置３４と普通図柄表示装置３５が接続されており、主制御基板５１が出力する制御信号を入力することにより特別図柄表示装置３４及び普通図柄表示装置３５の表示内容を制御する。そして、図柄表示基板７９は、特別図柄表示装置３４及び普通図柄表示装置３５と対応する位置に装着されている。
【００７５】
また、主制御基板５１には、インタフェイス基板６１が接続されている。インタフェイス基板６１には、上始動口スイッチ８１、下始動口スイッチ８２、上カウントスイッチ８３、下カウントスイッチ８４、左下入賞口スイッチ８５、右下入賞口スイッチ８６、及び普通図柄変動スイッチ８７などの各種のスイッチが接続されている。また、インタフェイス基板６１には、普通電動役物ソレノイド８８、下大入賞口ソレノイド８９及び上大入賞口ソレノイド９０などの各種の可動体作動用のソレノイドが接続されている。
【００７６】
次に、本実施形態のパチンコ遊技機１０における主制御装置５０等の制御内容について図８を参照してさらに詳しく説明する。なお、図８においては、主制御装置５０等を除く各種構成要素が省略されている。
【００７７】
図８に示すように、主制御基板５１には、制御動作を所定の手順で実行することができる主制御用ＣＰＵ(Central  Processing  Unit)５１ａと、主制御用ＣＰＵ５１ａの制御プログラムを格納する主制御用ＲＯＭ(Read  Only  Memory)５１ｂと、必要なデータの書き込み及び読み出しができる主制御用ＲＷＭ(Read  Write  Memory)５１ｃなどが設けられている。主制御用ＣＰＵ５１ａは、大当り判定用乱数などの各種乱数値を所定の周期毎にカウントし、発生させる。なお、主制御用ＣＰＵ５１ａと、主制御用ＲＯＭ５１ｂと、主制御用ＲＷＭ５１ｃとは、遊技に関するプログラムを記憶するとともに、そのプログラムに従って遊技に関する制御を行う制御回路５１ｄとして機能する。また、主制御基板５１は、主制御基板５１に配設されたコネクタＣＮ１を介して、インタフェイス基板６１に信号を出力する。
【００７８】
インタフェイス基板６１には、インタフェイス基板６１に配設されたコネクタＣＮ２を介して、主制御基板５１が接続されている。また、インタフェイス基板６１には、インタフェイス基板６１に配設されたコネクタＣＮ３（本実施形態では、コネクタＣＮ３ａ〜ＣＮ３ｊ）を介して、各種のスイッチ８１〜８７が接続されている。
【００７９】
なお、本実施形態において、ＣＮ１とＣＮ２との間では、複数のデータ信号を並列して伝達するパラレル通信が行われる。また、本実施形態において、コネクタＣＮ３ａ〜ＣＮ３ｊと、各種のスイッチ８１〜８７や各種のソレノイド８８〜９０との間では、それぞれ、一のデータ信号を伝達するシリアル通信が行われる。
【００８０】
インタフェイス基板６１には、各種のスイッチ８１〜８７に対応する入力インタフェイス回路６１ａ〜６１ｇが設けられている。この入力インタフェイス回路６１ａ〜６１ｇは、各種のスイッチ８１〜８７からの信号を一時的に記憶するバッファ回路を備えている。
【００８１】
上始動口３７、下始動口３９、普通図柄作動ゲート４０、下大入賞口装置４１、上大入賞口装置４３、入賞口装置４５ａ〜４５ｄの何れかに遊技球が入賞又は通過した場合には、遊技球が入賞又は通過した旨を示す検知信号が、遊技球の入賞又は通過に対応する入力インタフェイス回路６１ａ〜６１ｇに検知信号が入力され、主制御基板５１に出力される。
【００８２】
その一方で、インタフェイス基板６１には、インタフェイス基板６１に配設されたコネクタＣＮ３を介して、普通電動役物ソレノイド８８、下大入賞口ソレノイド８９及び上大入賞口ソレノイド９０などの各種のソレノイドが接続されている。
【００８３】
また、インタフェイス基板６１には、各種のソレノイド８８〜９０に対応する出力インタフェイス回路６１ｈ〜６１ｊが設けられている。この出力インタフェイス回路６１ｈ〜６１ｊは、制御回路５１ｄからの信号を一時的に記憶するバッファ回路と、各種のソレノイド８８〜９０への信号を制御するドライバ回路とを備えている。
【００８４】
各種のソレノイド８８〜９０の何れかを駆動させると主制御用ＣＰＵ５１ａが決定した場合には、駆動させるソレノイドに対応する出力インタフェイス回路に信号が入力され、各種のソレノイド８８〜９０の何れかに駆動信号が出力される。
【００８５】
つまり、インタフェイス基板６１に配置されたインタフェイス回路６１ａ〜６１ｊは、各種のスイッチ８１〜８７や各種のソレノイド８８〜９０毎に設けられ、主制御基板５１（制御回路５１ｄ）と、各種のスイッチ８１〜８７や各種のソレノイド８８〜９０との間における信号の制御を行う。また、インタフェイス回路６１ａ〜６１ｊには、信号の入出力に応じて信号の論理演算を行う論理回路（例えば、コンパレータ等）も含まれている。
【００８６】
以上詳述したように、本実施形態は、以下の効果を有する。
（１）制御回路５１ｄが主制御基板５１に、インタフェイス回路６１ａ〜６１ｊがインタフェイス基板６１に、それぞれ設けられることで、制御回路５１ｄとインタフェイス回路６１ａ〜６１ｊとが別々の基板に設けられる。このため、遊技機の種類によって、各種入球口や扉等が増加し、各種のスイッチ８１〜８７や各種のソレノイド８８〜９０の数が増加した場合であっても、制御回路５１ｄが設けられた主制御基板５１を設計変更する必要がなく、インタフェイス回路６１ａ〜６１ｊが設けられたインタフェイス基板６１を設計変更すればよい。したがって、各種入球口や扉等が増加しても制御回路５１ｄが設けられた主制御基板５１を大型化することなく、簡便な基板構成を実現することができる。
【００８７】
（２）主制御基板５１を配置する基板ケース５２とは異なる基板ケース６２に、インタフェイス基板６１が配置される。このように、主制御基板５１を大型化させない場合には、基板ケース５２も大型化することがない。このため、各種入球口や扉等が増加しても制御回路５１ｄが設けられた主制御基板５１が配置される基板ケース５２も大型化することなく、簡便な基板構成を実現することができる。
【００８８】
（３）また、基板ケース５２は、ベース部材５３とカバー部材５４とから構成され、カシメが施されることにより固着される。このように、制御回路５１ｄが設けられた主制御基板５１が配置される基板ケース５２がカシメにより固着されるので、入球口に関する制御に対するセキュリティ機能を向上させることができる。
【００８９】
（４）また、基板ケース６２は、ベース部材６３とカバー部材６４とから構成され、カシメが施されることにより固着される。このように、インタフェイス回路６１ａ〜６１ｊが設けられたインタフェイス基板６１が配置される基板ケース６２がカシメにより固着されるので、入球口に関する制御に対するセキュリティ機能を向上させることができる。
【００９０】
（５）図６（ａ）に示すように、所定個数（本実施形態では１０個）のインタフェイス回路６１ａ〜６１ｊ等が設けることができる素子実装領域Ｒ１がインタフェイス基板６１に設けられている。このため、所定個数までであればインタフェイス回路６１ａ〜６１ｊ等をインタフェイス基板６１に設けることができ、各種のスイッチ８１〜８７や各種のソレノイド８８〜９０に応じたインタフェイス回路６１ａ〜６１ｊを設けることができ、制御回路５１ｄが設けられた基板を大型化することなく、簡便な基板構成を実現することができる。もちろん、図６（ｃ）に示すように、所定個数（本実施形態では１４個）のインタフェイス回路等が設けることができる素子実装領域Ｒ３がインタフェイス基板６１に設けられている場合には、使用しないインタフェイス回路を設け、ソレ未満のインタフェイス回路等を使用するように構成することもできる。
［第２実施形態］
次に、本発明を具体化した第２実施形態について図９を参照して以下に説明する。なお、以下の説明では、既に説明した実施形態と同一構成及び同一制御内容について同一符号を付すなどし、その重複する説明を省略又は簡略する。
【００９１】
第１実施形態では、主制御基板５１とインタフェイス基板６１とを異なる基板ケースに収納した。それに対して、第２実施形態では、主制御基板５１とインタフェイス基板６１とを重畳して配置し、同じ基板ケースに収納する。
【００９２】
具体的に、図９に示すように、主制御基板５１とインタフェイス基板６１とは、その間にスペーサＳＰ１〜ＳＰ４を介在させて、ネジＮ７〜Ｎ１４により締結されることによって、重畳して配置される。また、インタフェイス基板６１は、主制御基板５１よりも小さいサイズである。そして、主制御基板５１とインタフェイス基板６１とは、重畳して配置された状態で、同じ基板ケース５２内に収納される。また、図９においては図示しないが、主制御基板５１の上面にはコネクタＣＮ１が、インタフェイス基板６１の底面にはコネクタＣＮ２が、それぞれ設けられており、それらが直接接続されることにより、主制御基板５１とインタフェイス基板６１とが電気的に接続される。
【００９３】
以上詳述したように、第２実施形態は、第１実施形態における（１）、（４）、及び（５）の効果に加えて、以下の効果を有する。
（６）インタフェイス基板６１は、主制御基板５１と比較して小さいサイズであり、主制御基板５１とインタフェイス基板６１とが重畳して配置され、同じ基板ケース５２内に配置される。このため、主制御基板５１とインタフェイス基板６１とを重畳できるように基板ケース５２が形成されれば、主制御基板５１を大型化しないことによって、同じ基板ケース５２に主制御基板５１とインタフェイス基板６１とが配置され、かつ、基板ケース５２も大型化することがない。
【００９４】
（７）また、基板ケース５２は、ベース部材５３とカバー部材５４とから構成され、カシメが施されることにより固着される。このように、制御回路５１ｄが設けられた主制御基板５１と、インタフェイス回路６１ａ〜６１ｊが設けられたインタフェイス基板６１とが配置される基板ケース５２がカシメにより固着されるので、入球口に関する制御に対するセキュリティ機能を向上させることができる。
【００９５】
なお、上記実施形態は以下のように変更してもよい。
・第２実施形態において、図９に示すように、主制御基板５１とインタフェイス基板６１とが重畳して配置され、同じ基板ケースに収納されたが、これに限らず、例えば、図１０に示すように、主制御基板５１とインタフェイス基板６１とが重畳せずに配置され、同じ基板ケースに収納されてもよい。この場合、例えば、主制御基板５１の上面には、インタフェイス基板６１と電気的に接続するためのコネクタＣＮ１が設けられ、インタフェイス基板６１の上面には、主制御基板５１と電気的に接続するためのコネクタＣＮ２が設けられている。また、例えば、図１０において、主制御基板５１の上面にコネクタＣＮ１が、インタフェイス基板６１の底面にコネクタＣＮ２が、それぞれ設けられており、それらが直接接続されることにより、主制御基板５１とインタフェイス基板６１とが電気的に接続されるように構成してもよい。
【００９６】
・上記実施形態において、図６（ａ）〜図６（ｃ）に示すように、コネクタＣＮ２〜ＣＮ４や各種の電子素子の個数によって、インタフェイス基板６１に形成する電導パターンを異ならせたが、これに限らない。例えば、インタフェイス基板６１に同じ電導パターンを形成しておき、実装するコネクタＣＮ２〜ＣＮ４や各種の電子素子の個数によって、形成された電導パターンのうち使用しない電導パターンを設けるように構成してもよい。これによって、インタフェイス基板６１のサイズにもよるが、インタフェイス基板６１自体を変更することなく、スイッチやソレノイドの個数が増減させることが可能となる。
【００９７】
・上記実施形態において、ＣＮ１とＣＮ２との間でパラレル通信が行われ、コネクタＣＮ３ａ〜ＣＮ３ｊと各種のスイッチ８１〜８７や各種のソレノイド８８〜９０との間でシリアル通信が行われたが、これに限らず、例えば、ＣＮ１とＣＮ２との間でシリアル通信が行われてもよい。また、例えば、コネクタＣＮ３ａ〜ＣＮ３ｊと各種のスイッチ８１〜８７や各種のソレノイド８８〜９０との間でパラレル通信が行われてもよい。
【００９８】
・第１実施形態において、インタフェイス装置６０において、封止ケースやラベルを用いなかったが、これに限らず、例えば、主制御装置５０と同じように封止ケースやラベルを用いてもよい。
【００９９】
・第１実施形態において、基板ケース５２と基板ケース６２とを結束具（例えば、結束バンド）等で一体に結束してもよい。
・上記実施形態において、主制御基板５１やインタフェイス基板６１が基板ケース５２，６２に収納された状態で、基板ケース５２，６２に各種のカシメが施されたが、これに限らず、例えば、カシメが施されなくてもよい。また、例えば、インタフェイス基板６１を基板ケース５２，６２に収納しなくてもよい。この場合、インタフェイス基板６１の交換、差し替えが容易となり、製造工程、調整工程等において特に簡便である。
【０１００】
・上記実施形態において、インタフェイス基板６１を、主制御基板５１よりも小さいサイズとしたが、これに限らず、例えば、同じサイズとしてもよい。また、例えば、インタフェイス基板６１を、主制御基板５１よりも大きいサイズとしてもよい。
【０１０１】
・上記実施形態において、電源基板からの電源を受け取るためのコネクタＣＮ４がインタフェイス基板６１に設けられたが、これに限らず、コネクタＣＮ２を介して主制御基板５１から電源が供給されてもよい。
【０１０２】
・上記実施形態において、各種のスイッチ８１〜８７や各種のソレノイド８８〜９０毎にインタフェイス回路６１ａ〜６１ｊがインタフェイス基板６１に設けたが、これに限らない。例えば、それ以外に、各種のスイッチ８１〜８７や各種のソレノイド８８〜９０毎ではなく、インタフェイス回路６１ａ〜６１ｊを全体的に制御する制御回路がインタフェイス基板６１に設けられていてもよい。特に、主制御基板５１とインタフェイス基板６１との間でシリアル通信を行う場合など、何れの入出力装置との間の通信を行うか否かを制御する制御回路等が、入出力装置毎ではなく、インタフェイス基板６１に対して設けられることがある。
【０１０３】
・上記実施形態において、主制御基板５１と各種のスイッチ８１〜８７や各種のソレノイド８８〜９０との間におけるインタフェイス回路６１ａ〜６１ｊをインタフェイス基板６１に設けたが、これに限らない。例えば、インタフェイス回路の一部がインタフェイス基板６１に設けられ、そのインタフェイス回路を制御するための回路など、入出力装置毎に設けなくてもよい一部の回路が主制御基板５１に設けられてもよい。
【０１０４】
・上記実施形態において、各種のスイッチや各種のソレノイドを入出力装置としたが、これに限らない。例えば、入出力装置として各種のソレノイドではなく、モータ等の各種のアクチュエータであってもよい。また、例えば、各種のスイッチ等の入力装置と、各種のソレノイド等の出力装置との何れか一方であってもよい。
【０１０５】
次に、上記実施形態及び別例から把握できる技術的思想を以下に追記する。
（イ）前記第１基板には、前記第２基板と電気的に接続するための第１接続部品が設けられ、前記第２基板には、前記第１基板と電気的に接続するための第２接続部品が設けられている請求項１〜請求項６のうち何れか一項に記載の遊技機。
【０１０６】
（ロ）前記第２基板は、前記基板ケースとは異なる第２基板ケース内に配置され、前記第２基板ケースは、第３カシメ部が形成された第３ケース部材と、第４カシメ受け部が形成された第４ケース部材とを含む構成であり、前記第３ケース部材と前記第４ケース部材とは、カシメが施されることにより固着される請求項３に記載の遊技機。
【符号の説明】
【０１０７】
１０…パチンコ遊技機、３３…演出表示装置、３６…始動入賞口装置、３７…上始動口、３８…開閉羽根、３９…下始動口、４０…普通図柄作動ゲート、４１…下大入賞口装置、４２…開閉扉、４３…上大入賞口装置、４４…開閉羽根、４５ａ〜４５ｄ…入賞口装置、５０…主制御装置、５１…主制御基板、５１ａ…主制御用ＣＰＵ、５１ｂ…主制御用ＲＯＭ、５１ｃ…主制御用ＲＡＭ、５１ｄ…制御回路、５２，６２…基板ケース（第１基板ケース、第２基板ケース）、５３，６３…ベース部材（第１ケース部材、第３ケース部材）、５３ｄ，５３ｅ，６３ｄ，６３ｅ…ベース側カシメ部（第１カシメ部、第３カシメ部）、５４，６４…カバー部材（第２ケース部材、第４ケース部材）、５４ｄ，５４ｅ，６４ｄ，６４ｅ…カバー側カシメ部（第２カシメ部、第４カシメ部）、６０…インタフェイス装置、６１…インタフェイス基板、６１ａ〜６１ｇ…入力インタフェイス回路、６１ｈ〜６１ｊ…出力インタフェイス回路、８１…上始動口スイッチ、８２…下始動口スイッチ、８３…上カウントスイッチ、８４…下カウントスイッチ、８５…左下入賞口スイッチ、８６…右下入賞口スイッチ、８７…普通図柄変動スイッチ、８８…普通電動役物ソレノイド、８９…下大入賞口ソレノイド、９０…上大入賞口ソレノイド。
【図１】
2014008131.tif 000003
【図２】
2014008131.tif 000004
【図３】
2014008131.tif 000005
【図４】
2014008131.tif 000006
【図５】
2014008131.tif 000007
【図６】
2014008131.tif 000008
【図７】
2014008131.tif 000009
【図８】
2014008131.tif 000010
【図９】
2014008131.tif 000011
【図１０】
2014008131.tif 000012